(57)【要約】【課題】  緊急連絡先に対して、発信者自身の情報と現在の所在地を確実にかつ容易に伝達できるようにした携帯通信端末を得る。【解決手段】  自己情報を記憶する自己情報記憶部と、位置情報を取得する位置情報取得部と、この位置情報取得部が取得した上記位置情報を記憶する位置情報記憶部と、緊急発信情報を記憶する緊急連絡先記憶部と、この緊急連絡先記憶部に記憶された上記緊急発信情報を用いて相手通信端末に発信し、上記自己情報記憶部に記憶された上記自己情報及び上記位置情報記憶部に記憶された上記位置情報を上記相手通信端末に送信する送信部とを備えた。【選択図】          図１
2006033008.tif 000002
【特許請求の範囲】
【請求項１】
自己情報を記憶する自己情報記憶部と、位置情報を取得する位置情報取得部と、この位置情報取得部が取得した上記位置情報を記憶する位置情報記憶部と、緊急発信情報を記憶する緊急連絡先記憶部と、この緊急連絡先記憶部に記憶された上記緊急発信情報を用いて相手通信端末に発信し、上記自己情報記憶部に記憶された上記自己情報及び上記位置情報記憶部に記憶された上記位置情報を上記相手通信端末に送信する送信部とを備えたことを特徴とする携帯通信端末。
【請求項２】
緊急発信情報が相手通信端末の電話番号又はメールアドレスのいずれかであることを特徴とする請求項１記載の携帯通信端末。
【請求項３】
自己情報を記憶する自己情報記憶部と、位置情報を取得する位置情報取得部と、この位置情報取得部が取得した上記位置情報を記憶する位置情報記憶部と、相手通信端末と通信中に操作されることにより、上記自己情報記憶部に記憶された上記自己情報及び上記位置情報記憶部に記憶された上記位置情報を上記相手通信端末に送信する送信部とを備えたことを特徴とする携帯通信端末。
【請求項４】
自己情報は書き換え不可能な領域に記憶された自携帯通信端末の電話番号を含むことを特徴とする請求項１または２記載の携帯通信端末。
【請求項５】
位置情報取得部は、ＧＰＳアンテナを介して受信したデータ又は無線基地局から受信した位置情報データのいずれかから現在位置を特定することを特徴とする請求項１または２記載の携帯通信端末。
【請求項６】
送信部が送信する自己情報又は位置情報のいずれかは音声データであることを特徴とする請求項１または２記載の携帯通信端末。
【請求項７】
自己情報記憶部が記憶している自己情報及び位置情報記憶部が記憶している位置情報のいずれかを音声データに変換する音声変換部を備え、送信部は該音声変換部が変換した音声データを相手通信端末に送信することを特徴とする請求項６記載の携帯通信端末。
【請求項８】
位置情報記憶部が記憶している位置情報は、複数の位置情報及び各位置情報を取得した時刻を各々対応付けた経路情報を含むことを特徴とする請求項１または２記載の携帯通信端末。
【発明の詳細な説明】
【技術分野】
【０００１】
この発明は、電話発信又はメール送信する携帯電話機等の携帯通信端末に関する。
【背景技術】
【０００２】
従来技術として、防犯機能が設定され且つアンテナが所定以上の引っ張り力で引き出された場合に、防犯ブザー音を鳴動させると共に１１０番発信表示を行い、いずれかのキーが押下されると１１０番に発信するようにしたので、素早い通報が可能となる携帯電話機がある（例えば、特許文献１参照）。
【０００３】
【特許文献１】特開２００３−２１８９９７号公報（第３−４頁、第２図）
【発明の開示】
【発明が解決しようとする課題】
【０００４】
特許文献１の携帯電話機は緊急連絡先への発信を容易にするものであるが、緊急連絡先と回線が繋がったとしても、発信者のよく知らない土地で現在の所在地を把握することは困難であり、また、実際の緊急事態の状況下では発信者が自分自身に関する情報や現在の所在地等を的確に通信相手に伝えること自体が困難となる場合が想定でき、悪戯電話と間違われたり、発信者が必要な情報を伝えるのに時間がかかってしまったりして、緊急連絡を受けた側の対応が遅れてしまうという問題点があった。
【０００５】
この発明は、上記のような問題点を解消するためになされたもので、緊急連絡先に対して、発信者自身の情報と現在の所在地を確実にかつ容易に伝達できるようにした携帯通信端末を得ることを目的とするものである。
【課題を解決するための手段】
【０００６】
この発明の請求項１に係る携帯通信端末は、自己情報を記憶する自己情報記憶部と、位置情報を取得する位置情報取得部と、この位置情報取得部が取得した上記位置情報を記憶する位置情報記憶部と、緊急発信情報を記憶する緊急連絡先記憶部と、この緊急連絡先記憶部に記憶された上記緊急発信情報を用いて相手通信端末に発信し、上記自己情報記憶部に記憶された上記自己情報及び上記位置情報記憶部に記憶された上記位置情報を上記相手通信端末に送信する送信部とを備えたものである。
【発明の効果】
【０００７】
この発明の請求項１に係る携帯通信端末は、緊急連絡先記憶部に記憶された相手通信端末に対して、自己情報記憶部に記憶された自己情報及び位置情報記憶部に記憶された位置情報を送信するようにしたので、容易にかつ確実に発信者自身の情報と現在の所在地を緊急連絡相手に伝えることができる効果がある。
【発明を実施するための最良の形態】
【０００８】
実施の形態１．
図１は、この発明に係る携帯通信端末としての携帯電話機を示すブロック図である。図において、アンテナ１を介して受信した音声信号は、送受信部としての発着呼制御装置２に入力される。発着呼制御装置２は、アンテナ１で受信した音声信号を主に機能動作を制御する制御部３へ出力する。制御部３は、発着呼制御装置２から入力された音声信号を音声に変換してスピーカ４へ送り、スピーカ４から音声を出力する。一方、マイク５から入力された音声は制御部３で音声信号に変換され、発着呼制御装置２を介してアンテナ１から送信される。また、アンテナ１を介して受信したメールデータ信号は、送受信部としてのメール制御装置６に入力される。メール制御装置６は、アンテナ１で受信したメールデータ信号を制御部３へ出力する。制御部３は、メール制御装置６から入力されたメールデータ信号を文字データ、画像データ又は音声データ等に変換する。ユーザが通知要求イベント取得装置７からメール表示の指示を入力すると、制御部３は、文字データ及び画像データを文字及び画像に変換して表示部８に表示させ、音声データを音声に変換してスピーカ４から再生させる。一方、通知要求イベント取得装置７から入力された文字、通知要求イベント取得装置７から指定された画像データ又は音声データは、制御部３でメールデータ信号に変換され、メール制御装置６を介してアンテナ１から送信される。
また、ＧＰＳ（Ｇｌｏｂａｌ  Ｐｏｓｉｔｉｏｎｉｎｇ  Ｓｙｓｔｅｍ）アンテナ９は位置測定用人工衛星から衛星信号を受信し、位置情報取得部としてのＧＰＳ制御装置１０へ入力する。ＧＰＳ制御装置１０はこの受信した衛星信号を基に現在位置を算出し、位置情報記憶部としての位置情報管理データベース１１に記憶させる。
次に、自己情報記憶部としての自己情報管理データベース１２には名前等のユーザの自己情報が格納されている。発信情報データベース１３は、位置情報管理データベース１１及び自己情報管理データベース１２から抽出したデータとこれらのデータの一部を音声変換装置１４で変換した音声データを含む発信情報を記憶している。緊急発信情報としての緊急連絡用の電話番号、メールアドレス、及び名前等は緊急連絡先記憶部としての緊急連絡先管理データベース１５に記憶している。発信情報制御装置１６は、自己情報管理データベース１２と位置情報管理データベース１１とから抽出した発信情報を発信情報データベース１３に記憶させ、また、発信情報データベース１３から発信情報を読み出して、情報発信制御装置１７に受け渡す。情報発信制御装置１７は緊急連絡先管理データベース１５の情報を基に、発信情報制御装置１６から受け取った発信情報を発着呼制御装置２またはメール制御装置６を介してアンテナ１から出力させる。
【０００９】
図２は、この発明に係る携帯電話機の自己情報管理データベース１２の内部構成を示す図である。自己情報管理データベース１２は、自己情報の項目として、例えば、「名前」、「住所」、「携帯電話」、「電話番号（家）」、「勤務先／学校」及び「顔写真」で構成されている。
【００１０】
図３は、この発明に係る携帯電話機の位置情報管理データベース１１の内部構成を示す図である。位置情報データベース１１は、位置情報の項目として、例えば、「時刻」、「緯度」及び「経度」を含む「経路情報」で構成されており、数時間分のユーザの移動経路が記録されている。
【００１１】
図４は、この発明に係る携帯電話機の発信情報データベース１３の内部構成を示す図である。発信情報データベース１３は、緊急連絡先へ通知するための発信情報として、メール用データと音声データを記憶している。発信情報のうちメール用データは、自己情報管理データベース１２から抽出した自己情報と、位置情報管理データベース１１から抽出した位置情報とで構成されている。発信情報のうち音声データは、自己情報管理データベース１２から抽出した自己情報のうち、音声変換装置１４によって変換した「名前」、「住所」、「携帯電話」、「電話番号（家）」、「勤務先／学校」を、位置情報管理データベース１１から抽出した位置情報のうち、音声変換装置１４によって変換した最新の「緯度」及び「経度」を格納している。
【００１２】
図５は、この発明に係る携帯電話機の緊急連絡先管理データベース１５の内容構成を示す図である。緊急連絡先管理データベース１５は、例えば、４ヶ所の緊急連絡先を記憶できるデータベースであり、１つの緊急連絡先は「緊急連絡先名」、「送付形態」、「ＯＮ／ＯＦＦ」、「連絡先」及び「オプション通知内容」で構成されている。
【００１３】
次に、図６は、この発明に係る携帯電話機をユーザが事前に操作して自己情報管理データベース１２に自己情報を登録するフローチャートである。
まず、制御部３は、自己情報を登録するか否かを判断する（ステップ６−１）。
【００１４】
この判断で、ユーザが通知要求イベント取得装置７を操作して自己情報の登録操作をしたと判断された場合、発信情報制御装置１６は、書き換え不可能な不揮発領域に格納された携帯電話機の電話番号、通知要求イベント取得装置７から入力された名前、住所、電話番号（家）、勤務先／学校、顔写真から自己情報を作成し（ステップ６−２）、自己情報管理データベース１２に登録して（ステップ６−３）、緊急連絡通知機能を有効にして処理を終了する。
【００１５】
ステップ６−１で、ユーザが通知要求イベント取得装置７を操作して自己情報の登録操作をしていないと判断された場合、制御部３は、ユーザが書き換え不可能な不揮発領域に格納された携帯電話機の電話番号を自己情報とする操作をしたか否かを判断する（ステップ６−４）。
【００１６】
この判断で、ユーザが通知要求イベント取得装置７を操作して携帯電話番号を自己情報とする操作をしたと判断された場合、発信情報制御装置１６は、書き換え不可能な不揮発領域に格納された携帯電話機の電話番号から自己情報を作成し（ステップ６−５）、ステップ６−３へ進む。
【００１７】
ステップ６−４で、ユーザが通知要求イベント取得装置７を操作して携帯電話番号を自己情報とする操作をしなかったと判断された場合、緊急連絡通知機能を無効にして処理を終了する。これは、発信者の携帯電話番号を通知することで、本発明を使用した緊急発呼での悪戯電話を防止するためである。
【００１８】
次に、上記のように自己情報管理データベース１２の登録内容に変化が生じたときには、発信情報制御装置１５は、自己情報管理データベース１２の更新後の自己情報データを発信情報データベース１３のメール用データとして転送、記憶させ、自己情報管理データベース１２の自己情報から音声変換装置１４によって変換した音声データを発信情報データベース１３の音声データとして記憶させて、発信情報データベース１３も更新する。
【００１９】
図７は、この発明に係る携帯電話機のＧＰＳ制御装置１０が取得した現在地の位置情報を位置情報管理データベース１１に格納するフローチャートである。
まず、ＧＰＳ制御装置１０は、ある時点から一定時間経過したか否かを判断する（ステップ７−１）。
【００２０】
この判断で、一定時間経過していないと判断された場合、ステップ７−１へ戻り、一定時間経過するのを待つ。
【００２１】
ステップ７−１で、一定時間経過したと判断された場合、ＧＰＳ制御装置１０は、ＧＰＳアンテナ９を介して緯度及び経度を受信する（ステップ７−２）。
【００２２】
ＧＰＳ制御装置１０は、受信した緯度及び経度から現在地を特定して現在時刻とともに位置情報とし、過去数時間分の位置情報の履歴とともに経路情報を作成して（ステップ７−３）、位置情報管理データベース１１に記憶させて（ステップ７−３）、ステップ７−１に戻り処理を繰り返す。
【００２３】
また、上記のように位置情報管理データベース１１の最新位置情報に変化が生じたときには、発信情報制御装置１５は、位置情報管理データベース１１の経路情報を発信情報データベース１３のメール用データとして転送、記憶させ、位置情報管理データベース１１に記憶している経路情報データのうち最新位置情報から音声変換装置１４によって変換した音声データを発信情報データベース１３の音声データとして記憶させて、発信情報データベース１３も更新する。
【００２４】
図８は、この発明に係る携帯電話機をユーザが操作して、緊急連絡先管理データベース１５に緊急連絡先情報を登録するフローチャートである。
まず、制御部３は、緊急連絡先情報を登録するか否かを判断する（ステップ８−１）。
【００２５】
この判断で、ユーザが通知要求イベント取得装置７を操作して緊急連絡先情報の登録操作をしなかったと判断された場合、処理を終了する。
【００２６】
ステップ８−１の判断で、ユーザが通知要求イベント取得装置７を操作して緊急連絡先情報の登録操作をしたと判断された場合、制御部３は、通知要求イベント取得装置７から入力された緊急連絡先の送付形態を判断する（ステップ８−２）。
【００２７】
この判断で、緊急連絡先の送付形態の入力がメールのみと判断した場合はステップ８−３へ進み、電話のみと判断した場合はステップ８−４へ進み、メール及び電話と判断した場合はステップ８−５へ進む。
【００２８】
ステップ８−３において、通知要求イベント取得装置７から入力された緊急連絡先の名前、緊急連絡先のＯＮ／ＯＦＦ、緊急連絡先のメールアドレスを互いに対応させて緊急連絡先管理データベース１５に記憶させて（ステップ８−３）、さらに通知要求イベント取得装置７で発信情報データベース１３の発信情報のうち通知情報として選択された通知項目を対応させて緊急連絡先管理データベース１５に記憶させて（ステップ８−６）、処理を終了する。通知項目としては、自己情報の名前、携帯電話及び最新位置情報は必須で、その他の自己情報や経路情報はオプションとしている。
【００２９】
ステップ８−４において、通知要求イベント取得装置７から入力された緊急連絡先の名前、緊急連絡先のＯＮ／ＯＦＦ、緊急連絡先の電話番号を互いに対応させて緊急連絡先管理データベース１５に記憶させて（ステップ８−４）、ステップ８−６へ進む。
【００３０】
ステップ８−５において、通知要求イベント取得装置７から入力された緊急連絡先の名前、緊急連絡先のＯＮ／ＯＦＦ、緊急連絡先の電話番号及びメールアドレスを互いに対応させて緊急連絡先管理データベース１５に記憶させて（ステップ８−５）、ステップ８−６へ進む。
【００３１】
この実施の形態において、緊急連絡先の電話番号またはメールアドレスを設定しないときは、本発明による緊急連絡先をＯＦＦとしてもよく、また、警察等の公共の緊急連絡先をデフォルトとして設定しておくようにしてもよい。
【００３２】
次に、図９は、この発明に係る携帯電話機から緊急連絡先へ自己情報及び位置情報を通知するフローチャートである。
まず、制御部３は、ユーザにより通知要求イベント取得装置７から通知要求を受けたか否かを判断する（ステップ９−１）。
【００３３】
この判断で、通知要求イベント取得装置７から通知要求を受けなかったと判断した場合、ステップ９−１に戻り、通知要求イベント取得装置７からの通知要求を待つ。
【００３４】
ステップ９−１の判断で、通知要求イベント取得装置７から通知要求を受けたと判断した場合、情報発信制御装置１７は、緊急連絡通知機能が有効か無効かを判断する（ステップ９−２）。
この判断で、緊急連絡通知機能が無効であると判断された場合、処理を終了する。
【００３５】
ステップ９−２の判断で、緊急連絡通知機能が有効であると判断された場合、情報発信制御装置１７は、緊急連絡先管理データベース１５から緊急連絡先がＯＮであるすべての緊急連絡先の緊急連絡先名、送信形態、連絡先及び通知情報を読み出す（ステップ９−３）。読み出した緊急連絡先の送信形態と通知情報を基に、送信形態がメールの通知情報の論理和と、送信形態が電話の通知情報の論理和を収集するよう発信情報制御装置１６に要求する。要求を受けた発信情報制御装置１６は、発信情報データベース１３から指定された通知情報、携帯電話番号及び位置情報のメール用データ及び音声データを読み出して、情報発信制御装置１７に受け渡す（ステップ９−４）。
【００３６】
情報発信制御装置１７は、読み出した緊急連絡先のうち送付形態が電話のものがあるか否かを判断する（ステップ９−５）。
【００３７】
この判断で、送付形態が電話のものがないと判断されると、情報発信制御装置１７は、読み出した緊急連絡先のうち送付形態がメールのものがあるか否かを判断する（ステップ９−６）。
【００３８】
この判断で、有効なものがないと判断されると、情報発信制御装置１７は、処理を終了する。
【００３９】
ステップ９−６の判断で、送付形態がメールのものがあると判断されると、情報発信制御装置１７は、該当する緊急連絡先のメールアドレスと対応する通知情報のメール用データをメール制御装置６に受け渡す。メール制御装置６は、受け渡されたメール用データを添付データとしてメールを作成し、受け渡されたメールアドレスへメール送信する（ステップ９−７）。情報発信制御装置１７は、読み出した緊急連絡先のうち未送信のメールがあるか否かを判断する（ステップ９−８）。
【００４０】
この判断で、未送信のメールがあると判断されると、情報発信制御装置１７は、ステップ９−７へ戻り、未送信の緊急連絡先へのメール用データを作成、送信し、未送信のものがないと判断されると、処理を終了する。
【００４１】
次に、ステップ９−５の判断で、送付形態が電話のものがあると判断されると、情報発信制御装置１７は、読み出した緊急連絡先のうち送付形態がメールのものがあるか否かを判断する（ステップ９−９）。
【００４２】
この判断で、送付形態がメールのものがないと判断されると、情報発信制御装置１７は、該当する緊急連絡先の電話番号と対応する通知情報の音声データを発着呼制御装置２に受け渡す。発着呼制御装置２は、受け渡された電話番号へ発信して、通信が始まると受け渡された音声データを再生送信する（ステップ９−１０）。このとき、相手通信端末が応答しなかった場合等を考慮して、一定時間発信後、通話に移行できなかった場合は、ステップ９−１１へ進む。
音声データ送信後、通信が切断されると、情報発信制御装置１７は、読み出した緊急連絡先のうち未送信の電話があるか否かを判断する（ステップ９−１１）。
【００４３】
この判断で、未送信の電話があると判断されると、情報発信制御装置１７は、ステップ９−１０へ戻り、未送信の緊急連絡先へ発信、音声データを送信し、未送信の電話がないと判断されると、処理を終了する。
【００４４】
ステップ９−９の判断で、送付形態がメール及び電話のものがあると判断されると、情報発信制御装置１７は、該当する緊急連絡先のメールアドレスと対応する通知情報のメール用データをメール制御装置６に受け渡す。メール制御装置６は、受け渡されたメール用データを添付データとしてメールを作成し、受け渡されたメールアドレスへメール送信する（ステップ９−１２）。情報発信制御装置１７は、読み出した緊急連絡先のうち有効かつ未送信のメールがあるか否かを判断する（ステップ９−１３）。
【００４５】
この判断で、未送信のメールがあると判断されると、情報発信制御装置１７は、ステップ９−１２へ戻り、未送信の緊急連絡先へのメール用データを作成、送信し、未送信のメールがないと判断されると、情報発信制御装置１７は、該当する緊急連絡先の電話番号と対応する通知情報の音声データを発着呼制御装置２に受け渡す。発着呼制御装置２は、受け渡された電話番号へ発信して、通信が始まると受け渡された音声データを再生送信する（ステップ９−１４）。音声データ送信後、通信が切断されると、情報発信制御装置１７は、読み出した緊急連絡先のうち未送信の電話があるか否かを判断する（ステップ９−１５）。
【００４６】
この判断で、未送信の電話があると判断されると、情報発信制御装置１７は、ステップ９−１４へ戻り、未送信の緊急連絡先へ発信、音声データを送信し、未送信の電話がないと判断されると、処理を終了する。
【００４７】
この実施の形態により、ユーザは緊急時に、事前に登録しておいた自己情報と位置情報を、緊急連絡先として事前に登録しておいた電話番号またはメールアドレスへ音声データまたはメール用データを送信することにより、正確にかつ迅速に緊急連絡先へ必要情報を通知することができるようになる。
【００４８】
この実施の形態１では、電話による緊急連絡先への音声データ再生送信後、自動で通話を切断するようにしたが、ユーザが切断操作を行なうまで通話を継続するようにしてもよく、また、音声データ再生終了後、一定時間通話を継続してから切断するようにしてもよい。
【００４９】
実施の形態２．
この実施の形態２では、ユーザが緊急連絡先と通話中に、自己情報及び位置情報を送信する。
ユーザが相手通信端末と通信中に、ユーザにより通知要求イベント取得装置７を操作して、自己情報及び位置情報の通知要求を入力すると、情報発信制御装置１７は、発信情報制御装置１６を介して発信情報データベース１３から自己情報及び位置情報を含む通知情報の音声データを読み出す。情報発信制御装置１７は、読み出した通知情報の音声データを通信中の相手通信端末へ再生送信する。
【００５０】
上記実施の形態１及び２では、メール用データの位置情報及び経路情報を数字で示しているが、地図上に経路軌跡を描いた画像ファイルや、住所など、位置を特定できる情報であればどのような情報を送信するようにしてもよい。
【００５１】
また、上記実施の形態１及び２では、位置情報の取得にＧＰＳを使用したが、無線基地局から受信した位置情報データを使用してもよい。
【００５２】
さらに、上記実施の形態１及び２では位置情報を定期的に取得し、位置情報管理データベース１１及び発信情報データベース１３を更新するようにしたが、緊急連絡先へデータ送信するときに位置情報を取得するようにしてもよい。また、音声データについても、緊急連絡先へデータ送信するときに変換するようにしてもよい。
【００５３】
上記実施の形態１及び２では、自己情報の音声データを自己情報管理データベース１２に記憶しているメール用データから変換するようにしたが、ユーザが自分の声で録音できるようにしてもよい。
【００５４】
上記実施の形態１及び２では、発信情報データベース１３が存在するが、緊急連絡先へデータ送信するときに位置情報データベース１１及び自己情報管理データベース１２から必要情報を取得するようにしてもよい。逆に、位置情報データベース１１及び自己情報管理データベース１２がなく、各情報を発信情報データベース１３に直接登録するようにしてもよい。
【図面の簡単な説明】
【００５５】
【図１】この発明に係る携帯通信端末としての携帯電話機を示すブロック図である。
【図２】この発明に係る携帯電話機の自己情報管理データベース１２の内部構成を示す図である。
【図３】この発明に係る携帯電話機の位置情報管理データベース１１の内部構成を示す図である。
【図４】この発明に係る携帯電話機の発信情報データベース１３の内部構成を示す図である。
【図５】この発明に係る携帯電話機の緊急連絡先管理データベース１５の内容構成を示す図である。
【図６】この発明に係る携帯電話機をユーザが事前に操作して自己情報管理データベース１２に自己情報を登録するフローチャートである。
【図７】この発明に係る携帯電話機のＧＰＳ制御装置１０が取得した現在地の位置情報を位置情報管理データベース１１に格納するフローチャートである。
【図８】この発明に係る携帯電話機をユーザが操作して、緊急連絡先管理データベース１５に緊急連絡先情報を登録するフローチャートである。
【図９】この発明に係る携帯電話機から緊急連絡先へ自己情報及び位置情報を通知するフローチャートである。
【符号の説明】
【００５６】
１  アンテナ
２  発着呼制御装置
３  制御部
６  メール制御装置
９  ＧＰＳアンテナ
１０  ＧＰＳ制御装置
１１  位置情報管理データベース
１２  自己情報管理データベース
１３  発信情報データベース
１５  緊急連絡先管理データベース
１６  発信情報制御装置
１７  情報発信制御装置
【図１】
2006033008.tif 000003
【図２】
2006033008.tif 000004
【図３】
2006033008.tif 000005
【図４】
2006033008.tif 000006
【図５】
2006033008.tif 000007
【図６】
2006033008.tif 000008
【図７】
2006033008.tif 000009
【図８】
2006033008.tif 000010
【図９】
2006033008.tif 000011